【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
記録媒体へ液滴を吐出する複数のノズルが二次元配列された構造を有するインクジェットヘッドと、
前記インクジェットヘッドと記録媒体とを所定の移動方向に沿って相対的に移動させる移動手段と、
同一の駆動タイミングで駆動されるノズルを同一の駆動波形又は同一の駆動波形群を用いて駆動するように駆動制御を行う駆動制御手段と、
記録媒体の画像形成領域へ画像記録を行う際に用いられる記録用波形と、前記画像形成領域の外側に隣接する先端側又は後端側の余白領域へノズルチェック用パターンを形成する際に用いられる異常ノズル検知用波形との切り換えを行う駆動波形切換手段と、
を備え、
前記インクジェットヘッドは、前記移動方向と直交する主走査方向又は前記主走査方向と所定の角度をなす斜め方向の行方向と、前記移動方向と平行の副走査方向又は前記副走査方向と所定の角度をなす斜め方向の列方向と、に沿って複数のノズルが並べられた構造を有し、
前記駆動制御手段は、副走査方向に伸びる縦線が主走査方向に所定の間隔をおいて並べられた１段分の縦線群を有し、かつ、主走査方向の位相をずらした複数段分の縦線群が副走査方向に沿って並べられるように形成されるノズルチェック用パターンを前記インクジェットヘッドの画像記録に使用されるすべてのノズルを用いて形成し、１段分の縦線群を形成する際に１行のノズル行に属するすべてのノズルを用いるか、又は隣接しない複数のノズル行に属するすべてのノズル用いるように、各ノズルの駆動を制御することを特徴とするインクジェット記録装置。
【請求項２】
請求項１に記載のインクジェット記録装置において、
前記駆動制御手段は、前記縦線の主走査方向における間隔が前記ノズル配列に対応した不等間隔となるノズルチェック用パターンを形成するように各ノズルの駆動制御を行うことを特徴とするインクジェット記録装置。
【請求項３】
請求項１又は２に記載のインクジェット記録装置において、
前記駆動制御手段は、前記画像形成領域の先端側の余白領域へ前記ノズルチェック用パターンの前記画像形成領域に最も近い段を形成する際に、前記インクジェットヘッドと前記記録媒体とを相対的に移動させるときに記録媒体と対向する位置に最初に到達するノズル行に属するすべてのノズルが用いられるように各ノズルの駆動制御を行うことを特徴とするインクジェット記録装置。
【請求項４】
請求項１又は２に記載のインクジェット記録装置において、
前記画像形成領域の後端側の余白領域へ前記ノズルチェック用パターンの前記画像形成領域に最も近い段を形成する際に、前記インクジェットヘッドと前記記録媒体とを相対的に移動させるときに記録媒体と対向する位置に最後に到達するノズル行に属するすべてのノズルが用いられるように各ノズルの駆動制御を行うことを特徴とするインクジェット記録装置。
【請求項５】
請求項１乃至４のいずれかに記載のインクジェット記録装置において、
前記インクジェットヘッドは、複数のノズルが二次元配列された構造を有するサブヘッドをつなぎ合わせた構造を有し、
前記駆動制御手段は、前記サブヘッドごとに所定の駆動波形又は駆動波形群を用いて当該サブヘッドに設けられる各ノズルの駆動を制御することを特徴とするインクジェット記録装置。
【請求項６】
請求項５に記載のインクジェット記録装置において、
前記インクジェットヘッドは、複数のサブヘッドが主走査方向に沿って一列に並べられた構造を有することを特徴とするインクジェット記録装置。
【請求項７】
請求項１乃至６のいずれかに記載のインクジェット記録装置において、
前記記録用波形及び前記異常ノズル検知用波形を生成する波形生成手段と、
前記波形生成手段により生成された波形を有する駆動波形又は駆動波形群を生成する駆動波形生成手段と、
画像データに基づいて各ノズルを選択的にオンオフさせる駆動信号を生成する駆動信号生成手段と、
を備えたことを特徴とするインクジェット記録装置。
【請求項８】
請求項１乃至７のいずれかに記載のインクジェット記録装置において、
前記ノズルチェック用パターンを読み取る読取装置から得られる読取情報に基づいて吐出異常となっている異常ノズルを判定する異常ノズル判定手段と、
異常ノズルと判定されたノズルに対して所定の処理を行なう処理手段と、
を備えたことを特徴とするインクジェット記録装置。
【請求項９】
請求項８に記載のインクジェット記録装置において、
前記処理手段は、異常ノズルと判定されたノズルを使用しないように前記異常ノズルに対応した処理を行うことを特徴とするインクジェット記録装置。
【請求項１０】
請求項８又は９に記載のインクジェット記録装置において、
前記読取装置は、当該インクジェット記録装置に具備されるインラインセンサであることを特徴とするインクジェット記録装置。
【請求項１１】
記録媒体へ液滴を吐出する複数のノズルが二次元配列された構造を有するインクジェットヘッドと記録媒体とを所定の移動方向に沿って相対的に移動させる移動工程と、
同一の駆動タイミングで駆動されるノズルを同一の駆動波形又は同一の駆動波形群を用いて駆動するように駆動制御を行う駆動制御工程と、
記録媒体の画像形成領域へ画像記録を行う際に用いられる記録用波形と、前記画像形成領域の外側に隣接する先端側又は後端側の余白領域へノズルチェック用パターンを形成する際に用いられる異常ノズル検知用波形との切り換えを行う駆動波形切換工程と、
前記ノズルチェック用パターンを用いて吐出異常のノズルを検出する検出工程と、
を含み、
前記インクジェットヘッドは、前記移動方向と直交する主走査方向又は前記主走査方向と所定の角度をなす斜め方向の行方向と、前記移動方向と平行の副走査方向又は前記副走査方向と所定の角度をなす斜め方向の列方向と、に沿って複数のノズルが並べられた構造を有し、
前記駆動制御工程において、副走査方向に伸びる縦線が主走査方向に所定の間隔をおいて並べられた１段分の縦線群を有し、かつ、主走査方向の位相をずらした複数段分の縦線群が副走査方向に沿って並べられるように形成されるノズルチェック用パターンを前記インクジェットヘッドの画像記録に使用されるすべてのノズルを用いて形成し、１段分の縦線群を形成する際に１行のノズル行に属するすべてのノズルを用いるか、又は隣接しない複数のノズル行に属するすべてのノズル用いるように、各ノズルの駆動が制御されることを特徴とする吐出検出方法。
【手続補正２】
【補正対象書類名】明細書
【補正対象項目名】００９１
【補正方法】変更
【補正の内容】
【００９１】
モータドライバ１７６は、システムコントローラ１７２からの指示に従って搬送系のモータ１８８を駆動するドライバ（駆動回路）である。ヒータドライバ１７８は、システムコントローラ１７２からの指示に従ってヒータ１８９を駆動するドライバである。
【手続補正３】
【補正対象書類名】明細書
【補正対象項目名】０１６０
【補正方法】変更
【補正の内容】
【０１６０】
図１８（ａ）は、ノズルチェック用パターン形成エリア２３１の開始位置２４４（例えば、用紙２４０の先端２４２から副走査方向に３ｍｍ離れた位置）に、ノズル行１１０Ｃに属するすべてのノズル１０８Ｃにより縦線２３２Ｃ（書き始めの縦線群）が形成される状態を図示している。
【手続補正４】
【補正対象書類名】明細書
【補正対象項目名】０２０７
【補正方法】変更
【補正の内容】
【０２０７】
（発明３）：発明１又は２に記載のインクジェット記録装置において、前記駆動制御手段は、前記画像形成領域の先端側の余白領域へ前記ノズルチェック用パターンの前記画像形成領域に最も近い段を形成する際に、前記インクジェットヘッドと前記記録媒体とを相対的に移動させるときに記録媒体と対向する位置に最初に到達するノズル行に属するすべてのノズルが用いられるように各ノズルの駆動制御を行うことを特徴とする。
【手続補正５】
【補正対象書類名】明細書
【補正対象項目名】０２０９
【補正方法】変更
【補正の内容】
【０２０９】
（発明４）：発明１又は２に記載のインクジェット記録装置において、前記画像形成領域の後端側の余白領域へ前記ノズルチェック用パターンの前記画像形成領域に最も近い段を形成する際に、前記インクジェットヘッドと前記記録媒体とを相対的に移動させるときに記録媒体と対向する位置に最後に到達するノズル行に属するすべてのノズルが用いられるように各ノズルの駆動制御を行うことを特徴とする。
【手続補正６】
【補正対象書類名】明細書
【補正対象項目名】０２２４
【補正方法】変更
【補正の内容】
【０２２４】
（発明１１）：記録媒体へ液滴を吐出する複数のノズルが二次元配列された構造を有するインクジェットヘッドと記録媒体とを所定の移動方向に沿って相対的に移動させる移動工程と、同一の駆動タイミングで駆動されるノズルを同一の駆動波形又は同一の駆動波形群を用いて駆動するように駆動制御を行う駆動制御工程と、記録媒体の画像形成領域へ画像記録を行う際に用いられる記録用波形と、前記画像形成領域の外側に隣接する先端側又は後端側の余白領域へノズルチェック用パターンを形成する際に用いられる異常ノズル検知用波形との切り換えを行う駆動波形切換工程と、前記ノズルチェック用パターンを用いて吐出異常のノズルを検出する検出工程と、を含み、前記インクジェットヘッドは、前記移動方向と直交する主走査方向又は前記主走査方向と所定の角度をなす斜め方向の行方向と、前記移動方向と平行の副走査方向又は前記副走査方向と所定の角度をなす斜め方向の列方向と、に沿って複数のノズルが並べられた構造を有し、前記駆動制御工程において、副走査方向に伸びる縦線が主走査方向に所定の間隔をおいて並べられた１段分の縦線群を有し、かつ、主走査方向の位相をずらした複数段分の縦線群が副走査方向に沿って並べられるように形成されるノズルチェック用パターンを前記インクジェットヘッドの画像記録に使用されるすべてのノズルを用いて形成し、１段分の縦線群を形成する際に１行のノズル行に属するすべてのノズルを用いるか、又は隣接しない複数のノズル行に属するすべてのノズル用いるように、各ノズルの駆動が制御されることを特徴とする吐出検出方法。
【手続補正７】
【補正対象書類名】図面
【補正対象項目名】図６
【補正方法】変更
【補正の内容】
【図６】
2011140194.tif 000001